【事件の表示】
　特許第３３０７５５５号に関する訂正審判事件について、次のとおり審決する。
【結　論】
　特許第３３０７５５５号に係る明細書を本件審判請求書に添付された訂正明細書のとおり訂正することを認める。
【理　由】
 １．請求の要旨
　本件審判の請求の要旨は、特許第３３０７５５５号［平成９年２月２５日特許出願（パリ条約による優先権主張１９９６年９月４日、大韓民国）、平成１４年５月１７日設定登録］に係る明細書［以下、「特許明細書」（特許第３３０７５５５号公報参照）という。］を本件審判請求書に添付された訂正明細書のとおり、すなわち、下記（１）ないし（７）のとおり訂正することを求めるものである。
　
（１）訂正事項ａ
「【請求項１】
　基板を積載するためのスロットが互いに向い合うように形成されているスロット付サイドプレート対と、
　前記スロット付サイドプレートの上端を支持する上板と、
　前記スロット付サイドプレートの下端を支持する底板と、
　前記基板の挿入側と反対側に設けられ、前記スロットから積載される前記基板が抜け出ないようにする、前記上板と底板とに支持された一つ以上のストッパーと、
　前記基板の挿入側と反対側に設けられ、前記上板と底板とに支持されたサイドプレートとを含み、
　前記ストッパーまたは前記基板の挿入側と反対側に設けられた前記サイドプレートのみに、前記スロット付サイドプレート対で挟まれた空間に向かって突出して延長されかつ互いに平行であって、基板の中央部を支持する複数のサポートバーが形成されており、
　前記底板、ストッパー、サイドプレート及びサポートバーは、導電性材質からなり、
　前記サポートバーは、前記積載される基板と接触点を有し、前記接触点部分は、サポートバーの主体部分よりも高い表面抵抗率を有する材質で形成されている、
表示装置用基板の積載用カセット。」を、
「【請求項１】
　
基板を積載するために前記基板の端部を支持するスロットと、　前記スロットが互いに向い合うように形成されているスロット付サイドプレート対と、
　前記スロット付サイドプレートの下端を支持する底板と、
　前記基板の挿入側と反対側に設けられ、前記スロットから積載される前記基板が抜け出ないようにする、前記上板と底板とに支持された一つ以上のストッパーと、
　前記基板の挿入側と反対側に設けられ、前記上板と底板とに支持されたサイドプレートとを含み、
　前記ストッパーまたは前記基板の挿入側と反対側に設けられた前記サイドプレートのみに、前記スロット付サイドプレート対で挟まれた空間に向かって突出して延長され
、かつ前記基板を互いに平行に支持する複数のサポートバーが形成されており、　前記底板、ストッパー及びサイドプレートは、導電性材質からなり、　前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去する
（アンダーラインは訂正対応個所を示す。以下同じ。）
（２）訂正事項ｂ
「【請求項５】
　基板を積載するためのスロットが互いに向い合うように形成されているスロット付サイドプレート対と、
　前記スロット付サイドプレートの上端を支持する上板と、
　前記スロット付サイドプレートの下端を支持する、少なくとも一部は金属からなっている第１金属部を含む底板と、
　前記基板の挿入側と反対側に設けられ、前記スロットから積載される前記基板が抜け出ないようにする、前記上板と底板とに支持され、かつ前記底板の第１金属部と連結される第２金属部を有している一つ以上のストッパーとを含み、
　前記ストッパーには、前記スロット付サイドプレート対で挟まれた空間に向かって突出して延長されかつ互いに平行であって、基板の中央部を支持するサポートバーが形成されており、
　前記サポートバーは金属製であって前記ストッパーの第２金属部と連結されており、
　前記サポートバーは前記積載される基板との接触点を有し、前記接触点部分は、サポートバーの主体部分よりも高い表面抵抗率を有する材質で形成されている、
表示装置用基板の積載用カセット。」を、
「【請求項５】
　
基板を積載するために前記基板の端部を支持するスロットと、　前記スロットが互いに向い合うように形成されているスロット付サイドプレート対と、
　前記スロット付サイドプレートの下端を支持する、少なくとも一部は金属からなっている第１金属部を含む底板と、
　前記基板の挿入側と反対側に設けられ、前記スロットから積載される前記基板が抜け出ないようにする、前記上板と底板とに支持され、かつ前記底板の第１金属部と連結される第２金属部を有している一つ以上のストッパーとを含み、
　前記ストッパーには、前記スロット付サイドプレート対で挟まれた空間に向かって突出して延長され
、かつ前記基板を互いに平行に支持するサポートバーが形成されており、　前記サポートバーの主体部分は金属製であって前記ストッパーの第２金属部と連結されており、　前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去する
（３）訂正事項ｄ
「【請求項１０】
　少なくとも一部は金属性材質からなる基板積載用カセットに基板を積載する段階と、
　前記基板を前記金属性材質に接触させて静電気を分散させる段階とを含み、
　前記基板積載用カセットは、基板の中央部を支持するように互いに平行に形成され前記基板が歪まないよう基板を支持する、導電性材質のサポートバーを含み、前記サポートバーは積載される基板との接触点を有し、前記接触点部分は前記サポートバーの主体部分より高い表面抵抗率を有する材質からなる、
表示装置用基板の静電破壊防止方法。」を、
「【請求項１０】
　少なくとも一部は金属性材質からなる基板積載用カセットに基板を積載する段階と、
　前記基板を前記金属性材質に
電気的に接続させて
　前記基板積載用カセットは、
　
基板を積載するために前記基板の端部を支持するスロットと、　前記基板を互いに平行に支持し、かつ前記基板が歪まないよう基板を支持するサポートバーとを含み、　前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質で形成され、かつ前記基板の中央部から静電気を除去する
（４）訂正事項ｅ
「【請求項１１】
　金属性材質からなる金属部を含む基板積載用カセットに基板を積載する段階と、
　前記カセットの金属部を接地させる段階と、
　前記基板を前記金属部に接触させて静電気電流を放出する段階とを含み、
　前記基板積載用カセットは、基板の中央部を支持するように互いに平行に形成され前記基板が歪まないよう基板を支持する、導電性材質のサポートバーを含み、前記サポートバーは積載される基板との接触点を有し、前記接触点部分は前記サポートバーの主体部分より高い表面抵抗率を有する材質からなる、表示装置用基板の静電気放出方法。」を、
「【請求項１１】
　金属性材質からなる金属部を含む基板積載用カセットに基板を積載する段階と、
　前記カセットの金属部を接地させる段階と、
　前記基板を前記金属部に
電気的に接続させて
　前記基板積載用カセットは、
　
基板を積載するために前記基板の端部を支持するスロットと、　前記基板を互いに平行に支持し、かつ前記基板が歪まないよう基板を支持するサポートバーとを含み、　前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去する
（５）訂正事項ｆ
「【００１７】【課題を解決するための手段】前記目的を達成するための本発明の表示装置用基板の積載用カセットは、基板を積載させるためのスロットが互いに向い合うように形成されているスロット付サイドプレート対と、前記スロット付サイドプレートの上端を支持する上板と、前記スロット付サイドプレートの下端を支持する底板と、前記基板の挿入側と反対側に設けられ、前記スロットから積載される前記基板が抜け出ないようにする、前記上板と底板とに支持された一つ以上のストッパーと、前記基板の挿入側と反対側に設けられ、前記上板と底板とに支持されたサイドプレートと、前記ストッパーまたは前記基板の挿入側と反対側に設けられた前記サイドプレートのみに、前記スロット付サイドプレート対で挟まれた空間に向かって突出して延長されかつ互いに平行であって、基板の中央部を支持する複数のサポートバーが形成されており、前記底板、ストッパー、サイドプレート及びサポートバーは、導電性材質からなり、前記サポートバーは、前記積載される基板と接触点を有し、前記接触点部分は、サポートバーの主体部分よりも高い表面抵抗率を有する材質で形成されている。」を、
「【００１７】【課題を解決するための手段】前記目的を達成するための本発明の表示装置用基板の積載用カセットは、
基板を積載するために前記基板の端部を支持するスロットと、前記スロットが互いに向い合うように形成されているスロット付サイドプレート対と、
、かつ前記基板を互いに平行に支持する複数のサポートバーが形成されており、前記底板、ストッパー及びサイドプレートは、導電性材質からなり、前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去する
（６）訂正事項ｇ
「【００１８】さらに、本発明の表示装置用基板の積載用カセットは、基板を積載するためのスロットが互いに向い合うように形成されているスロット付サイドプレート対と、前記スロット付サイドプレートの上端を支持する上板と、前記スロット付サイドプレートの下端を支持する、少なくとも一部は金属からなっている第１金属部を含む底板と、前記基板の挿入側と反対側に設けられ、前記スロットから積載される前記基板が抜け出ないようにする、前記上板と底板とに支持され、かつ前記底板の第１金属部と連結される第２金属部を有している一つ以上のストッパーとを含み、前記ストッパーには、前記スロット付サイドプレート対で挟まれた空間に向かって突出して延長されかつ互いに平行であって、基板の中央部を支持するサポートバーが形成されており、前記サポートバーは金属製であって前記ストッパーの第２金属部と連結されており、前記サポートバーは前記積載される基板との接触点を有し、前記接触点部分は、サポートバーの主体部分よりも高い表面抵抗率を有する材質で形成されている。」を、
「【００１８】さらに、本発明の表示装置用基板の積載用カセットは、
基板を積載するために前記基板の端部を支持するスロットと、前記スロットが互いに向い合うように形成されているスロット付サイドプレート対と、
、前記基板を互いに平行に支持するサポートバーが形成されており、前記サポートバーの主体部分は金属製であって前記ストッパーの第２金属部と連結されており、前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去する
（７）訂正事項ｈ
「【００１９】さらに、本発明の表示装置用基板の静電破壊防止方法は、金属性材質からなる金属部を含む基板積載用カセットに基板を積載する段階と、前記カセットの金属部を接地させる段階と、前記基板を前記金属部に接触させて静電気電流を放出する段階とを含み、前記基板積載用カセットは、基板の中央部を支持するように互いに平行に形成され前記基板が歪まないよう基板を支持する、導電性材質のサポートバーを含み、前記サポートバーは積載される基板との接触点を有し、前記接触点部分は前記サポートバーの主体部分より高い表面抵抗率を有する材質からなる。」を。
「【００１９】さらに、本発明の表示装置用基板の静電破壊防止方法は、金属性材質からなる金属部を含む基板積載用カセットに基板を積載する段階と、前記カセットの金属部を接地させる段階と、前記基板を前記金属部に
電気的に接続させて
基板を積載するために前記基板の端部を支持するスロットと、前記基板を互いに平行に支持し、かつ前記基板が歪まないよう基板を支持するサポートバーとを含み、前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去する
　
２．当審の判断
２−１．訂正の目的の適否、新規事項の有無及び拡張・変更の存否
（１）訂正事項ａについて
イ．複数のサポートバーについて、「互いに平行」を「前記基板を互いに平行に支持する」とした訂正は、複数の基板が基板積載用カセットに挿入され、サポートバーにより基板が支持された場合、その支持された基板が互いに平行となるようにサポートバーが形成されていることを明りょうにした、つまり、サポートバーの向きは基板の面方向に沿っていることを明りょうにしたものである。そして、「前記基板を互いに平行に支持する」については、特許明細書の「・・・基板を積載し得るように多数のスロット２５が突起２５’によって互いに向い合うように形成されている。・・・」（段落【００２２】参照），「・・・サポートバー２７は弾性を有するアルミニウム（Ａｌ）からなるので、基板の歪みを自然に補正することができる。・・・」（段落【００２６】参照），「・・・このとき、基板２９は、スロット２５（突起２５’上）に支持されると共に、サポートバー２７上にも支持されるようになり、このため歪みが防止される。」（段落【００２８】参照），「・・・基板２９の歪みを防止するため、基板２９の中央下端部を長めのサポートバー２７を用いて保持しているが、・・・」（段落【００２９】参照），「・・・さらに積載している基板が歪まないようにすると共に、・・・」（段落【００３５】参照）の記載や、スロットが互いに向い合うように形成されていることを示す【図７】，スロットとサポートバーとにより基板を平行に支持していることを示す【図９】の記載から、自明の事項である。
ロ．「基板の中央部」を「スロットによって支持されない基板の中央部」とした訂正，及び「基板を積載するために前記基板の端部を支持するスロット」を追加した訂正は、スロットにより基板の端部が支持されることを明りょうにするとともに、スロット及びサポートバーが基板を支持しており、特にサポートバーが支持する「基板の中央部」とは、スロットにより支持されない部分であることを特定し、「基板の中央部」が基板のどの部分であるのかを明りょうにしたものである。そして、「スロットによって支持されない基板の中央部」，「基板を積載するために前記基板の端部を支持するスロット」については、特許明細書の「・・・基板積載用カセットは、基板の両端部のみを保持している形態であるため、・・・」（段落【０００７】参照），「・・・基板を積載し得るように多数のスロット２５が突起２５’によって互いに向い合うように形成されている。・・・」（段落【００２２】参照），「・・・このとき、基板２９は、スロット２５（突起２５’上）に支持されると共に、サポートバー２７上にも支持されるようになり、このため歪みが防止される。」（段落【００２８】参照），「・・・基板２９の歪みを防止するため、基板２９の中央下端部を長めのサポートバー２７を用いて保持しているが、・・・」（段落【００２９】参照）の記載や、基板は基板積載用カセットのサイドプレートに形成されたスロットによりその両端部を支持されることを示す【図６】及び【図７】，基板がさらにサポートバーにより支持されることを示す【図９】の記載から、自明の事項である。
ハ．「前記積載される基板と接触点を有し」を「前記スロットによって支持されない基板の中央部と接触点を有し、かつ前記接触点部分において基板を支持し」とした訂正は、基板の中央部を支持する部分とは、基板の接触点であることを明りょうにしたものである。そして、「前記スロットによって支持されない基板の中央部と接触点を有し、かつ前記接触点部分において基板を支持し」については、特許明細書の「そして、サポトバー２７は、一端がサイドプレート２１に連結され、その先端は銛形状となっている。・・・このサポートバー２７は弾性を有するアルミニウム（Ａｌ）からなるので、基板の歪みを自然に補正することができる。・・・基板２９と接触する部分には表面抵抗率が・・・である帯電防止用樹脂を用いて静電気の防止時のショックを防止し、アルミニウム（Ａｌ）と帯電防止用樹脂の相互作用により静電気を低く保持する構造となっている。・・・」（段落【００２６】参照），「・・・このとき、基板２９は、スロット２５（突起２５’上）に支持されると共に、サポートバー２７上にも支持されるようになり、このため歪みが防止される。」（段落【００２８】参照）の記載や、基板は基板積載用カセットのサイドプレートに形成されたスロットによりその両端部を支持されることを示す【図６】及び【図７】，基板がさらにサポートバーにより支持されることを示す【図９】の記載から、自明の事項である。
ニ．「サポートバー」を「金属で形成されているサポートバー」とした訂正は、サポートバーにさらなる限定を加えるものである。そして、「金属で形成されているサポートバー」については、特許明細書の「・・・前記サポートバーは金属製であって・・・」（【請求項５】，段落【００１８】参照），「・・・サポートバー２７およびストッパー２４はアルミニウム（Ａｌ）と導電性樹脂（ＰＥＩ）で製作され、・・・」（段落【００２５】参照），「・・・このサポートバー２７は弾性を有するアルミニウム（Ａｌ）からなるので、・・・」（段落【００２６】参照）の記載から、自明の事項である。
ホ．「かつ前記基板の中央部から静電気を除去する」を追加した訂正は、サポトバーにさらなる限定を加えるものである。そして、「かつ前記基板の中央部から静電気を除去する」については、特許明細書の「・・・帯電物質と容易に接触可能な基板側面部位と中間部分の静電気が高いことがわかる。・・・」（段落【００１３】，【表２】，【表３】，【図５】参照），「・・・なお、中央部のサポートバー２７は、一端がストッパー２４に連結されている。・・・」（段落【００２６】参照），「・・・基板２９の歪みを防止するため、基板２９の中央下端部を長めのサポートバー２７を用いて保持しているが、・・・」（段落【００２９】参照）の記載から、自明の事項である。
　したがって、訂正事項ａは、特許請求の範囲の減縮，明りょうでない記載の釈明を目的とした明細書の訂正に該当し、新規事項の追加に該当せず、実質的に特許請求の範囲を拡張又は変更するものではない。
（２）訂正事項ｂについて
　訂正事項ｂについての訂正は、上記訂正事項ａのイ．ロ．ハ．ホ．と同様の訂正である。
　したがって、訂正事項ｂは、特許請求の範囲の減縮，明りょうでない記載の釈明を目的とした明細書の訂正に該当し、新規事項の追加に該当せず、実質的に特許請求の範囲を拡張又は変更するものではない。
（３）訂正事項ｄ、ｅについて
　訂正事項ｄ、ｅについての訂正は、上記訂正事項ａのイ．〜ホ．と同様の訂正を行うとともに、さらに、「金属性材質に接触させて（金属部に接触させて）」を「金属性材質に電気的に接続させて（金属部に電気的に接続させて）」と訂正し、サポートバーが単に金属性材質（金属部）に接触するのではなく、金属性材質（金属部）と電気的に接続されることを明りょうにしたものである。そして、「金属性材質に電気的に接続させて（金属部に電気的に接続させて）」については、特許明細書の「・・・表面抵抗率が１００〜１０２Ω／ｍ２のアルミニウム（Ａｌ）は静電気の吸収が速いので、基板２９と接触する部分には表面抵抗率が１０１０〜１０１２Ω／ｍ２である帯電防止用樹脂を用いて静電気の防止時のショックを防止し、アルミニウム（Ａｌ）と帯電防止用樹脂の相互作用により静電気を低く保持する構造となっている。・・・」（段落【００２６】参照）の記載から、自明の事項である。
　したがって、訂正事項ｄ、ｅは、特許請求の範囲の減縮，明りょうでない記載の釈明を目的とした明細書の訂正に該当し、新規事項の追加に該当せず、実質的に特許請求の範囲を拡張又は変更するものではない。
（４）訂正事項ｆ，ｇ，ｈについて
　訂正事項ｆ，ｇ，ｈは、上記訂正事項ａ，ｂ，ｄ，ｅと整合を図るものであるから、明りょうでない記載の釈明を目的とした明細書の訂正に該当し、新規事項の追加に該当せず、実質的に特許請求の範囲を拡張又は変更するものではない。
　
２−２．独立特許要件の判断
（１）本件発明
　訂正明細書の請求項１〜１２に係る発明（以下、「本件発明１〜１２」という。）は、その特許請求の範囲の請求項１〜１２に記載された事項により特定される次のとおりのものである。
「【請求項１】
　基板を積載するために前記基板の端部を支持するスロットと、
　前記スロットが互いに向い合うように形成されているスロット付サイドプレート対と、
　前記スロット付サイドプレートの上端を支持する上板と、
　前記スロット付サイドプレートの下端を支持する底板と、
　前記基板の挿入側と反対側に設けられ、前記スロットから積載される前記基板が抜け出ないようにする、前記上板と底板とに支持された一つ以上のストッパーと、
　前記基板の挿入側と反対側に設けられ、前記上板と底板とに支持されたサイドプレートとを含み、
　前記ストッパーまたは前記基板の挿入側と反対側に設けられた前記サイドプレートのみに、前記スロット付サイドプレート対で挟まれた空間に向かって突出して延長され、かつ前記基板を互いに平行に支持する複数のサポートバーが形成されており、
　前記底板、ストッパー及びサイドプレートは、導電性材質からなり、
　前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去する、表示装置用基板の積載用カセット。
　【請求項２】
　前記サポートバーが形成された前記ストッパーは、前記底板の中央部に位置している請求項１に記載の表示装置用基板の積載用カセット。
　【請求項３】
　前記スロットを通じて積載された基板が前記スロットを通じて再び抜け出ることを防止するよう前記スロットの基板積載位置より高い位置に位置する複数の突起部を有している抜け出し防止手段と、
　前記抜け出し防止手段を前記カセットに脱着可能であるように取り付ける取付手段とをさらに含む請求項１または２に記載の表示装置用基板の積載用カセット。
　【請求項４】
　前記取付手段は少なくとも一つ以上のボルトである請求項３に記載の表示装置用基板の積載用カセット。
　【請求項５】
　基板を積載するために前記基板の端部を支持するスロットと、
　前記スロットが互いに向い合うように形成されているスロット付サイドプレート対と、
　前記スロット付サイドプレートの上端を支持する上板と、
　前記スロット付サイドプレートの下端を支持する、少なくとも一部は金属からなっている第１金属部を含む底板と、
　前記基板の挿入側と反対側に設けられ、前記スロットから積載される前記基板が抜け出ないようにする、前記上板と底板とに支持され、かつ前記底板の第１金属部と連結される第２金属部を有している一つ以上のストッパーとを含み、
　前記ストッパーには、前記スロット付サイドプレート対で挟まれた空間に向かって突出して延長され、かつ前記基板を互いに平行に支持するサポートバーが形成されており、
　前記サポートバーの主体部分は金属製であって前記ストッパーの第２金属部と連結されており、
　前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去する、表示装置用基板の積載用カセット。
　【請求項６】
　前記サイドプレートは金属で形成されている第３金属部を含み、前記第３金属部は前記底板の第１金属部と連結されている請求項５に記載の表示装置用基板の積載用カセット。
　【請求項７】
　前記サポートバーは積載された基板との接触点を有し、前記接触点部分は前記サポートバーの他の部分より高い表面抵抗率を有する材質からなる請求項５または６に記載の表示装置用基板の積載用カセット。
　【請求項８】
　前記接触点付近の材質は、表面抵抗率が１０１０〜１０１２オーム／ｍ２の帯電防止用樹脂である請求項７に記載の表示装置用基板の積載用カセット。
　【請求項９】
　前記底板の第１金属部、ストッパーの第２金属部及び前記サポートバーの第３金属部は、アルミニウムからなる請求項５または６に記載の表示装置用基板の積載用カセット。
　【請求項１０】
　少なくとも一部は金属性材質からなる基板積載用カセットに基板を積載する段階と、
　前記基板を前記金属性材質に電気的に接続させて静電気を分散させる段階とを含み、
　前記基板積載用カセットは、
　基板を積載するために前記基板の端部を支持するスロットと、
　前記基板を互いに平行に支持し、かつ前記基板が歪まないよう基板を支持するサポートバーとを含み、
　前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質で形成され、かつ前記基板の中央部から静電気を除去する、表示装置用基板の静電破壊防止方法。
　【請求項１１】
　金属性材質からなる金属部を含む基板積載用カセットに基板を積載する段階と、
　前記カセットの金属部を接地させる段階と、
　前記基板を前記金属部に電気的に接続させて静電気電流を放出する段階とを含み、
　前記基板積載用カセットは、
　基板を積載するために前記基板の端部を支持するスロットと、
　前記基板を互いに平行に支持し、かつ前記基板が歪まないよう基板を支持するサポートバーとを含み、
　前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去する、表示装置用基板の静電気放出方法。
　【請求項１２】
　前記接地段階は、
　前記カセットを接地した運搬機構に搭載する段階と、
　前記運搬機構と前記カセットの金属部を接触させる段階とを含む請求項１１に記載の表示装置用基板の静電気放出方法。」
　
（２）刊行物記載の発明等
　本件特許第３３０７５５５号に係る特許異議申立て［異議２００３−７０２３３］において、特許異議申立人によって提示された特開平８−４６０２２号公報［以下、「刊行物１」という。］には、図面とともに次の事項が記載されている。
ア．「【００１０】本発明は、このような背景下において、基板支承用側板の巾を狭くしても必要な強度を有し、しかも基板取り扱い時の帯電を有効に防止すると共に、たとえ帯電しても減衰が適度の範囲でゆっくりと行われるため回路障害を起こすことがなく、さらには基板との摩擦によっても摩耗粉などの塵埃を生じがたいカセットを提供すること、およびそのカセットの主要部を構成する基板支承用側板を提供することを目的とするものである。」（第２頁第２欄第５０行〜第３頁第３欄第７行）
イ．「【００１４】本発明のカセットは、フレーム（１）および基板支承用側板（２），（２）で箱形に形成され、箱形の１対の相対向する側面に基板支承用側板（２），（２）が配設された基本構成を有する。
【００１５】フレーム（１）は、底フレーム（１１）、天井フレーム（１２）、および基板（Ｏ）を受けとめるためのストッパーとしての受けフレーム（１３）で構成される。受けフレーム（１３）に代えて、カセット最奥側のフレームまたはカセット最奥部の基板支承用側板（２）に適宜のストッパー手段を設けることもできる。フレーム（１）の材質は、樹脂であっても金属であってもよい。」（第３頁第３欄第３１〜４１行）
ウ．「【００２２】加えて本発明においては、上記基板支承用側板（２）として、材質的には、金属体（Ｍ）を骨格材としかつ背肉部（２１）の少なくとも前面側および棚片（２２）が樹脂体（Ｒ）で形成され、かつその樹脂体（Ｒ）のうち基板（Ｏ）との接当部の少なくとも一部は発塵防止性樹脂（Ｒｂ）で形成されると共に、樹脂体（Ｒ）の発塵防止性樹脂（Ｒｂ）以外の部分は導電性物質配合樹脂（Ｒａ）で形成されているものを用いる。
【００２３】ここで金属体（Ｍ）としては、アルミニウム、ステンレススチールなどが用いられる。」（第３頁第４欄第１８〜２７行）
エ．「【００３５】そのため、基板（Ｏ）は実質的に棚片（２２）の遊端の山形の頂点の一点で支承されることになり、」（第４頁第５欄第４６，４７行）
オ．「【００３８】また、金属体（Ｍ）および導電性物質配合樹脂（Ｒａ）の存在により、基板（Ｏ）の取り扱い時の帯電が有効に防止されると共に、たとえ帯電しても減衰時間が０．５秒とか１秒というように一定時間保たれるために減衰が適度の範囲でゆっくりと行われ、回路障害を起こすおそれがない。ちなみに基板支承用側板（２）をオール金属製としたときは、帯電物と接触したときに一気に電流が流れる、」（第４頁第６欄第１０〜１７行）
カ．「【００４１】実施例１
図１は本発明の基板支承用側板（２）の一例を示した斜視図であり、一部を省略表示してある。図２は図１の基板支承用側板（２）の側面図である。図３は本発明のカセットの一例を示した側面図である。
【００４２】図３において、（１）はフレームであり、底フレーム（１１）、天井フレーム（１２）および受けフレーム（１３）からなる。底フレーム（１１）天井フレーム（１２）は、それぞれ後述の発塵防止性樹脂（Ｒｂ）、導電性物質配合樹脂（Ｒａ）と同じもので成形されている。受けフレーム（１３）は、軸方向に穿孔したポリテトラフルオロエチレン押出成形棒にＳＵＳ３０４製の金属棒をきつく挿入したものからなる。
【００４３】（２）は基板支承用側板であり、底フレーム（１１）−天井フレーム（１２）間に１面につき３枚宛ビスどめしてある。一点鎖線で示した（Ｏ）は基板の一例としてのガラス基板であり（図３には１枚のみを表示してある）、相対向する基板支承用側板（２），（２）の対応する棚片（２２），（２２）間の空隙に収容してある。・・・
【００４９】このカセットは比較的軽い上、このカセットにたとえばＴＦＴ液晶用ガラス基板を収容したときであっても、帯電防止が確実に図られるためトランジスタの破壊が確実に防止できる。・・・
【００５０】実施例２
図４は本発明の基板支承用側板（２）の他の一例を示した斜視図である。
【００５１】この実施例２においては、実施例１と同様に背肉部（２１）の中央に発塵防止性樹脂（Ｒｂ）で形成された突条状の張出部（３ｘ）を縦方向に設けると共に、舌状の棚片（２２）の山形構造の棚面の尾根の部分にも発塵防止性樹脂（Ｒｂ）で形成された突条状の張出部（３ｙ）を設けてある。
【００５２】実施例３
図５は本発明の基板支承用側板（２）のさらに他の一例を示した部分斜視図である。図６は図５の基板支承用側板（２）の巾方向切断断面図である。
【００５３】この実施例３においては、背肉部（２１）の中央に発塵防止性樹脂（Ｒｂ）で形成された突条状の張出部（３ｘ）を縦方向に設けてある。
【００５４】実施例４
図７は本発明の基板支承用側板（２）の別の一例を示した部分斜視図である。図８は図７の基板支承用側板（２）の巾方向切断断面図である。
【００５５】この実施例４においては、背肉部（２１）の中央側の領域に両端側の領域よりも前方に張り出した巾広の張出部（３ｚ）を設けると共に、その張出部（３ｚ）を発塵防止性樹脂（Ｒｂ）で形成してある。また、棚片（２２）も発塵防止性樹脂（Ｒｂ）で形成してある。」（第４頁第６欄第２５行〜第５頁第８欄第６行）
　上記記載事項ア．〜カ．によると、刊行物１には、
「【Ａ】基板（Ｏ）を積載するために前記基板（Ｏ）の端部を支持する棚片（２２），（２２）間の空隙と、
　前記棚片（２２），（２２）間の空隙が互いに向い合うように形成されている基板支承用側板（２）対と、
　前記基板支承用側板（２）の上端を支持する天井フレーム（１２）と、
　前記基板支承用側板（２）の下端を支持する底フレーム（１１）と、
　前記基板（Ｏ）の挿入側と反対側に設けられ、前記棚片（２２），（２２）間の空隙から積載される前記基板（Ｏ）が抜け出ないようにする、前記天井フレーム（１２）と底フレーム（１１）とに支持された一つ以上の受けフレーム（１３）とを含み、
　前記底フレーム（１１）、受けフレーム（１３）及び基板支承用側板（２）は、導電性材質からなり、
　前記基板支承用側板（２）は、前記棚片（２２），（２２）間の空隙によって支持される基板（Ｏ）の端部と接触点を有し、かつ前記接触点部分において基板（Ｏ）を支持し、前記接触点部分は、前記基板支承用側板（２）の骨格材としての金属体（Ｍ）よりも高い表面抵抗率を有する導電性物質配合樹脂（Ｒａ），発塵防止性樹脂（Ｒｂ）で形成され、かつ前記基板（Ｏ）の端部から静電気を除去する、ＴＦＴ液晶用ガラス基板の積載用カセット。
　【Ｂ】基板（Ｏ）を積載するために前記基板（Ｏ）の端部を支持する棚片（２２），（２２）間の空隙と、
　前記棚片（２２），（２２）間の空隙が互いに向い合うように形成されている基板支承用側板（２）対と、
　前記基板支承用側板（２）の上端を支持する天井フレーム（１２）と、
　前記基板支承用側板（２）の下端を支持する、少なくとも一部は金属からなっている第１金属部を含む底フレーム（１１）と、
　前記基板（Ｏ）の挿入側と反対側に設けられ、前記棚片（２２），（２２）間の空隙から積載される前記基板（Ｏ）が抜け出ないようにする、前記天井フレーム（１２）と底フレーム（１１）とに支持され、かつ前記底フレーム（１１）の第１金属部と連結される第２金属部を有している一つ以上の受けフレーム（１３）とを含み、
　前記基板支承用側板（２）は骨格材としての金属体（Ｍ）を含み、前記金属体（Ｍ）は前記底フレーム（１１）の第１金属部と連結されており、
　前記基板支承用側板（２）は、前記棚片（２２），（２２）間の空隙によって支持される基板（Ｏ）の端部と接触点を有し、かつ前記接触点部分において基板（Ｏ）を支持し、前記接触点部分は、前記基板支承用側板（２）の骨格材としての金属体（Ｍ）よりも高い表面抵抗率を有する導電性物質配合樹脂（Ｒａ），発塵防止性樹脂（Ｒｂ）で形成され、かつ前記基板（Ｏ）の端部から静電気を除去する、ＴＦＴ液晶用ガラス基板の積載用カセット。
　【Ｃ】少なくとも一部は金属性材質からなる基板積載用カセットに基板（Ｏ）を積載する段階と、
　前記基板（Ｏ）を前記金属性材質に電気的に接続させて静電気を分散させる段階とを含み、
　前記基板積載用カセットは、
　基板（Ｏ）を積載するために前記基板（Ｏ）の端部を支持する棚片（２２），（２２）間の空隙と、
　前記棚片（２２），（２２）間の空隙が互いに向い合うように形成されている基板支承用側板（２）対とを含み、
　前記基板支承用側板（２）は、前記棚片（２２），（２２）間の空隙によって支持される基板（Ｏ）の端部と接触点を有し、かつ前記接触点部分において基板（Ｏ）を支持し、前記接触点部分は、前記基板支承用側板（２）の骨格材としての金属体（Ｍ）より高い表面抵抗率を有する導電性物質配合樹脂（Ｒａ），発塵防止性樹脂で形成され、かつ前記基板（Ｏ）の端部から静電気を除去する、ＴＦＴ液晶用ガラス基板の静電破壊防止方法。
　【Ｄ】金属性材質からなる金属部を含む基板積載用カセットに基板（Ｏ）を積載する段階と、
　前記基板（Ｏ）を前記金属部に電気的に接続させて静電気電流を放出する段階とを含み、
　前記基板積載用カセットは、
　基板（Ｏ）を積載するために前記基板（Ｏ）の端部を支持する棚片（２２），（２２）間の空隙と、
　前記棚片（２２），（２２）間の空隙が互いに向い合うように形成されている基板支承用側板（２）対とを含み、
　前記基板支承用側板（２）は、前記棚片（２２），（２２）間の空隙によって支持される基板（Ｏ）の端部と接触点を有し、かつ前記接触点部分において基板（Ｏ）を支持し、前記接触点部分は、前記基板支承用側板（２）の骨格材としての金属体（Ｍ）より高い表面抵抗率を有する導電性物質配合樹脂（Ｒａ），発塵防止性樹脂で形成され、かつ前記基板（Ｏ）の端部から静電気を除去する、ＴＦＴ液晶用ガラス基板の静電気放出方法。」
の発明（以下、「刊行物１記載の発明」という。）が記載されていると認められる。
　
　同じく提示された特開平２−１８９２９号公報［以下、「刊行物２」という。］には、図面とともに次の事項が記載されている。
サ．「産業上の利用分野
　半導体製造装置、特に縦型反応装置に用いる基板保持具に関する。
　従来の技術
　ウエハの大口径化に伴い、膜均一性やダスト低減等から縦型構造を有する反応装置が提案されている。」（第１頁左下欄第９〜１５行）
シ．「基板保持具１は二枚の円盤状板１−ａと複数の凹凸部を有する柱状基板保持部１−ｂから成る。前記凸部の先端は球状を有し、基板２との接触を点接触にし、接触面積を小さくしている（第１図（Ａ），（Ｂ）参照）。また基板保持部の柱から基板接触部である球状部迄の長さ、すなわち凸部の長さを変化させたり（第１図（Ａ）参照）、凸部先端の球状部の大きさを変化させることにより（第１図（Ｂ）参照）基板保持具１における２基板の位置関係が容易で明確に判るようにしている第１図（Ａ）の方法によると基板保持用凸部の長さを長くすることで大口径基板の周辺部のみならず中心部寄りの位置でささえることができ、さらに従来ではできなかった基板挿入側の位置での保持ができる上、その保持が点接触であることから基板に対する熱伝導性等の問題もなく、安定性のよい基板保持を行い得る。その様子を第２図に示す。」（第２頁左上欄第１５行〜同頁右上欄第１１行）
　
　同じく提示された特開平５−２２９６７７号公報［以下、「刊行物３」という。］には、図面とともに次の事項が記載されている。
タ．「【産業上の利用分野】本発明はシート状物品の保管装置、特に、オフセット印刷用の刷版や、活版印刷用の樹脂刷版などのシート状物品を、効率よく保管することのできる保管装置に関する。」（第２頁第１欄第３８〜４１行）
チ．「本願第１の発明は、シート状物品の保管装置において、シート状物品をほぼ水平に載置するための支持面と、載置されたシート状物品の支持を妨げることのないように形成された切り欠き部と、を有するトレイ層を、互いに所定の間隔をおいて上下に複数枚配置することにより構成される物品収納ユニットと、切り欠き部を通ってトレイ層の支持面を上下に通過しうるアームと、このアームを垂直方向および水平方向に駆動する駆動機構と、を有する物品移載部と、複数のトレイ層のうち、シート状物品を搬入出する対象となる対象トレイ層の上部および下部に、所定の空間が確保できるように、必要なトレイ層を上下に移動させるトレイ昇降部と、を設けたものである。」（第２頁第２欄第２６〜３８行）
　
　同じく提示された特開平６−１９１５７８号公報［以下、「刊行物４」という。］には、図面とともに次の事項が記載されている。
ナ．「【００１５】図１（ａ）において、カセットＡは、内面に多数のスリット１を水平状態に平行に設けたスリット付カセット側板２が、基板の幅に対応する間隔を隔てて左右に対向して平行状態に設置されており、その上面と底面に、それぞれ上板３と底板４が固定して取付けられており、上記多数のスリット１の後方位置には、前方（図で左方）より押入れられる基板が後方より抜け出るのを防ぐために、垂直方向の板状のスリット５が各スリット１を跨ぐようにして両側板２，２の対称位置に取付けられていることは、従来例（図３）と変りはないが、本実施例では、スリット１の前方部の基板の出入口側にも、基板飛出し防止用のストッパ６が設けられている。
【００１６】上記のストッパ６は、同図（ｂ）に示すように、断面円形又は楕円形の椀状の突起体６ａによって構成されている。また、該ストッパ６を構成する各突起体６ａを、同図（ａ）に示す垂直方向部材６ｃによって上下方向に移動可能に連係し、上下方向に位置調整できるようにすることも可能である。これによってストッパ６の最適位置を得ることができる。」（第３頁第３欄第１５〜３３行）
　
（３）対比・判断
＜本件発明１について＞
　本件発明１と刊行物１記載の発明（発明【Ａ】参照。）を対比する。
　刊行物１記載の発明の「基板（Ｏ）」は、本件発明１の「基板」に相当し、以下同様に、「棚片（２２），（２２）間の空隙」は「スロット」に、「基板支承用側板（２）」は「スロット付サイドプレート」に、「天井フレーム（１２）」は「上板」に、「底フレーム（１１）」は「底板」に、「受けフレーム（１３）」は「ストッパー」に、「導電性物質配合樹脂（Ｒａ），発塵防止性樹脂（Ｒｂ）」は「金属よりも高い表面抵抗率を有する材質」に、「ＴＦＴ液晶用ガラス基板」は「表示装置用基板」に、それぞれ、相当する。
　してみると、両者は、
「基板を積載するために前記基板の端部を支持するスロットと、
　前記スロットが互いに向い合うように形成されているスロット付サイドプレート対と、
　前記スロット付サイドプレートの上端を支持する上板と、
　前記スロット付サイドプレートの下端を支持する底板と、
　前記基板の挿入側と反対側に設けられ、前記スロットから積載される前記基板が抜け出ないようにする、前記上板と底板とに支持された一つ以上のストッパーとを含み、
　前記底板及びストッパーは、導電性材質からなる、表示装置用基板の積載用カセット。」
の点で一致し、次の点で相違する。
〔相違点１〕本件発明１は、前記基板の挿入側と反対側に設けられ、前記上板と底板とに支持されたサイドプレートを含み、前記サイドプレートは、導電性材質からなるのに対して、刊行物１記載の発明は、当該構成を備えていない点。
〔相違点２〕本件発明１は、前記ストッパーまたは前記基板の挿入側と反対側に設けられた前記サイドプレートのみに、前記スロット付サイドプレート対で挟まれた空間に向かって突出して延長され、かつ前記基板を互いに平行に支持する複数のサポートバーが形成されており、前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去するのに対して、刊行物１記載の発明は、前記スロット付サイドプレートは、前記スロットによって支持される基板の端部と接触点を有し、かつ前記接触点部分において基板を支持し、前記接触点部分は、前記スロット付サイドプレートの骨格材としての金属体（Ｍ）よりも高い表面抵抗率を有する材質で形成され、かつ前記基板の端部から静電気を除去する点。
　上記〔相違点１〕〔相違点２〕について検討する。
〔相違点１〕について
　基板の挿入側と反対側において上板と底板とに支持されたストッパー兼用のサイドプレートを複数設けることは、周知の技術（必要なら、特開平５−１４７６８０号公報の受け側フレーム（１３），（１３）、参照。）であるから、しかも、ストッパーを導電性材質で形成することは、刊行物１に開示されているから、刊行物１記載の発明において、ストッパーに加えて、基板の挿入側と反対側において上板と底板とに支持されたサイドプレートを設け、前記サイドプレートを導電性材質で形成することは、当業者が適宜なし得る設計的事項と認められる。
〔相違点２〕について
　刊行物２には、上記記載事項サ．シ．によると、複数の凹凸部を有する柱状基板保持部１−ｂと、前記柱状基板保持部１−ｂの上端を支持する円盤状板部１−ａと、前記柱状基板保持部１−ｂの下端を支持する円盤状板部１−ａとを含む基板保持具１において、「基板２（ウエハ）の挿入側と正反対側に柱状基板保持部１−ｂを追加して設け、この柱状基板保持部１−ｂの凸部を基板２の挿入側の空間に向かって突出して延長し、かつ前記基板２を基板２の挿入側の位置で支持することにより、安定性のよい基板保持を行う」技術が、刊行物３には、上記記載事項タ．チ．によると、オフセット印刷用の刷版や，活版印刷用の樹脂刷版などのシート状物品の保管装置において、「少なくともシート状物品の端部及び中央部を支持する」技術が、刊行物４には、上記記載事項ナ．によると、「スリット１を通じて積載された基板が前記スリット１を通じて再び抜け出ることを防止するよう前記スリット１の基板積載位置より高い位置に位置する複数の突起体６ａを有しているストッパ６を設けたカセットＡ」の技術が、それぞれ開示されている。しかしながら、刊行物２〜４には、上記〔相違点２〕に係る本件発明１の構成の内、「前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去する」点について、開示も示唆もされていない。
　そうすると、刊行物１記載の発明において、刊行物２〜４記載の上記技術を適用してみても、上記〔相違点２〕に係る本件発明１の構成の内、「前記ストッパーまたは前記基板の挿入側と反対側に設けられた前記サイドプレートのみに、前記スロット付サイドプレート対で挟まれた空間に向かって突出して延長され、かつ前記基板を互いに平行に支持する複数のサポートバーが形成されており、」の点については、当業者が格別困難なく想到し得るとしても、「前記サポートバーは、前記スロットによって支持されない基板の中央部と接触点を有し、かつ前記接触点部分において基板を支持し、前記接触点部分は、金属で形成されている前記サポートバーの主体部分よりも高い表面抵抗率を有する材質で形成され、かつ前記基板の中央部から静電気を除去する」点については、当業者が格別困難なく想到し得るものとは認められない。
　そして、本件発明１は、上記〔相違点２〕に係る本件発明１の構成により、「基板及び基板上の素子の静電破壊の防止を図りながら、基板中央部から電荷を効率的に放出するとともに、基板の歪みの防止を図る」（段落【０００１】【００１６】【００３５】参照）という刊行物１記載の発明，刊行物２〜４記載の技術から当業者が予測し得ない顕著な効果を奏するものと認められる。
　
＜本件発明２〜４について＞
　本件発明２〜４は、本件発明１を更に限定したものであるから、上記本件発明１についての判断と同様の理由により、刊行物１記載の発明，刊行物２〜４記載の技術から当業者が格別困難なく想到し得るものではない。
　
＜本件発明５について＞
　本件発明５と刊行物１記載の発明（発明【Ｂ】参照。）を対比する。
　刊行物１記載の発明の「基板（Ｏ）」は、本件発明５の「基板」に相当し、以下同様に、「棚片（２２），（２２）間の空隙」は「スロット」に、「基板支承用側板（２）」は「スロット付サイドプレート」に、「天井フレーム（１２）」は「上板」に、「底フレーム（１１）」は「底板」に、「受けフレーム（１３）」は「ストッパー」に、「導電性物質配合樹脂（Ｒａ），発塵防止性樹脂（Ｒｂ）」は「金属よりも高い表面抵抗率を有する材質」に、「ＴＦＴ液晶用ガラス基板」は「表示装置用基板」に、それぞれ、相当する。
　してみると、両者は、
「基板を積載するために前記基板の端部を支持するスロットと、
　前記スロットが互いに向い合うように形成されているスロット付サイドプレート対と、
　前記スロット付サイドプレートの上端を支持する上板と、
　前記スロット付サイドプレートの下端を支持する、少なくとも一部は金属からなっている第１金属部を含む底板と、
　前記基板の挿入側と反対側に設けられ、前記スロットから積載される前記基板が抜け出ないようにする、前記上板と底板とに支持され、かつ前記底板の第１金属部と連結される第２金属部を有している一つ以上のストッパーとを含む、表示装置用基板の積載用カセット。」
の点で一致し、次の点で相違する。
〔相違点〕本件発明５は、前記ストッパーには、前記スロット付サイドプレート対で挟まれた空間に向かって突出して延長され、かつ前記基板を互いに平行に支持するサポートバーが形成されており、前記サポートバーの主体部分は金属製であって前記ストッパーの第２金属部と連結されており、前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去するのに対して、刊行物１記載の発明は、前記スロット付サイドプレートは骨格材としての金属体（Ｍ）を含み、前記金属体（Ｍ）は前記底板の第１金属部と連結されており、前記スロット付サイドプレートは、前記スロットによって支持される基板の端部と接触点を有し、かつ前記接触点部分において基板を支持し、前記接触点部分は、前記スロット付サイドプレートの骨格材としての金属体（Ｍ）よりも高い表面抵抗率を有する材質で形成され、かつ前記基板の端部から静電気を除去する点。
　上記〔相違点〕について検討する。
　刊行物２には、上記記載事項サ．シ．によると、複数の凹凸部を有する柱状基板保持部１−ｂと、前記柱状基板保持部１−ｂの上端を支持する円盤状板部１−ａと、前記柱状基板保持部１−ｂの下端を支持する円盤状板部１−ａとを含む基板保持具１において、「基板２（ウエハ）の挿入側と正反対側に柱状基板保持部１−ｂを追加して設け、この柱状基板保持部１−ｂの凸部を基板２の挿入側の空間に向かって突出して延長し、かつ前記基板２を基板２の挿入側の位置で支持することにより、安定性のよい基板保持を行う」技術が、刊行物３には、上記記載事項タ．チ．によると、オフセット印刷用の刷版や，活版印刷用の樹脂刷版などのシート状物品の保管装置において、「少なくともシート状物品の端部及び中央部を支持する」技術が、刊行物４には、上記記載事項ナ．によると、「スリット１を通じて積載された基板が前記スリット１を通じて再び抜け出ることを防止するよう前記スリット１の基板積載位置より高い位置に位置する複数の突起体６ａを有しているストッパ６を設けたカセットＡ」の技術が、それぞれ開示されている。しかしながら、刊行物２〜４には、上記〔相違点〕に係る本件発明５の構成の内、「前記サポートバーの主体部分は金属製であって前記ストッパーの第２金属部と連結されており、前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去する」点について、開示も示唆もされていない。
　そうすると、刊行物１記載の発明において、刊行物２〜４記載の上記技術を適用してみても、上記〔相違点〕に係る本件発明５の構成の内、「前記ストッパーには、前記スロット付サイドプレート対で挟まれた空間に向かって突出して延長され、かつ前記基板を互いに平行に支持するサポートバーが形成されており、」の点については、当業者が格別困難なく想到し得るとしても、「前記サポートバーの主体部分は金属製であって前記ストッパーの第２金属部と連結されており、前記サポートバーは、前記スロットによって支持されない基板の中央部と接触点を有し、かつ前記接触点部分において基板を支持し、前記接触点部分は、前記サポートバーの主体部分よりも高い表面抵抗率を有する材質で形成され、かつ前記基板の中央部から静電気を除去する」点については、当業者が格別困難なく想到し得るものとは認められない。
　そして、本件発明５は、上記〔相違点〕に係る本件発明５の構成により、「基板及び基板上の素子の静電破壊の防止を図りながら、基板中央部から電荷を効率的に放出するとともに、基板の歪みの防止を図る」（段落【０００１】【００１６】【００３５】参照）という刊行物１記載の発明，刊行物２〜４記載の技術から当業者が予測し得ない顕著な効果を奏するものと認められる。
　
＜本件発明６〜９について＞
　本件発明６〜９は、本件発明５を更に限定したものであるから、上記本件発明５についての判断と同様の理由により、刊行物１記載の発明，刊行物２〜４記載の技術から当業者が格別困難なく想到し得るものではない。
　
＜本件発明１０について＞
　本件発明１０と刊行物１記載の発明（発明【Ｃ】参照。）を対比する。
　刊行物１記載の発明の「基板（Ｏ）」は、本件発明１０の「基板」に相当し、以下同様に、「棚片（２２），（２２）間の空隙」は「スロット」に、「導電性物質配合樹脂（Ｒａ），発塵防止性樹脂（Ｒｂ）」は「金属より高い表面抵抗率を有する材質」に、「ＴＦＴ液晶用ガラス基板」は「表示装置用基板」に、それぞれ、相当する。
　してみると、両者は、
「少なくとも一部は金属性材質からなる基板積載用カセットに基板を積載する段階と、
　前記基板を前記金属性材質に電気的に接続させて静電気を分散させる段階とを含み、
　前記基板積載用カセットは、
　基板を積載するために前記基板の端部を支持するスロットを含む、表示装置用基板の静電破壊防止方法。」
の点で一致し、次の点で相違する。
〔相違点〕本件発明１０は、前記基板積載用カセットは、前記基板を互いに平行に支持し、かつ前記基板が歪まないよう基板を支持する、サポートバーを含み、前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質で形成され、かつ前記基板の中央部から静電気を除去するのに対して、刊行物１記載の発明は、前記基板積載用カセットは、前記スロットが互いに向い合うように形成されている基板支承用側板（２）対を含み、前記基板支承用側板（２）は、スロットによって支持される基板の端部と接触点を有し、かつ前記接触点部分において基板を支持し、前記接触点部分は、前記基板支承用側板（２）の骨格材としての金属体（Ｍ）より高い表面抵抗率を有する材質で形成され、かつ前記基板の端部から静電気を除去する点。
　上記〔相違点〕について検討する。
　刊行物２には、上記記載事項サ．シ．によると、複数の凹凸部を有する柱状基板保持部１−ｂと、前記柱状基板保持部１−ｂの上端を支持する円盤状板部１−ａと、前記柱状基板保持部１−ｂの下端を支持する円盤状板部１−ａとを含む基板保持具１において、「基板２（ウエハ）の挿入側と正反対側に柱状基板保持部１−ｂを追加して設け、この柱状基板保持部１−ｂの凸部を基板２の挿入側の空間に向かって突出して延長し、かつ前記基板２を基板２の挿入側の位置で支持することにより、安定性のよい基板保持を行う」技術が、刊行物３には、上記記載事項タ．チ．によると、オフセット印刷用の刷版や，活版印刷用の樹脂刷版などのシート状物品の保管装置において、「少なくともシート状物品の端部及び中央部を支持する」技術が、刊行物４には、上記記載事項ナ．によると、「スリット１を通じて積載された基板が前記スリット１を通じて再び抜け出ることを防止するよう前記スリット１の基板積載位置より高い位置に位置する複数の突起体６ａを有しているストッパ６を設けたカセットＡ」の技術が、それぞれ開示されている。しかしながら、刊行物２〜４には、上記〔相違点〕に係る本件発明１０の構成の内、「前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質で形成され、かつ前記基板の中央部から静電気を除去する」点について、開示も示唆もされていない。
　そうすると、刊行物１記載の発明において、刊行物２〜４記載の上記技術を適用してみても、上記〔相違点〕に係る本件発明１０の構成の内、「前記基板積載用カセットは、前記基板を互いに平行に支持し、かつ前記基板が歪まないよう基板を支持する、サポートバーを含み、」の点については、当業者が格別困難なく想到し得るとしても、「前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質で形成され、かつ前記基板の中央部から静電気を除去する」点については、当業者が格別困難なく想到し得るものとは認められない。
　そして、本件発明１０は、上記〔相違点〕に係る本件発明１０の構成により、「基板及び基板上の素子の静電破壊の防止を図りながら、基板中央部から電荷を効率的に放出するとともに、基板の歪みの防止を図る」（段落【０００１】【００１６】【００３５】参照）という刊行物１記載の発明，刊行物２〜４記載の技術から当業者が予測し得ない顕著な効果を奏するものと認められる。
　
＜本件発明１１について＞
　本件発明１１と刊行物１記載の発明（発明【Ｄ】参照。）を対比する。
　刊行物１記載の発明の「基板（Ｏ）」は、本件発明１１の「基板」に相当し、以下同様に、「棚片（２２），（２２）間の空隙」は「スロット」に、「導電性物質配合樹脂（Ｒａ），発塵防止性樹脂（Ｒｂ）」は「金属より高い表面抵抗率を有する材質」に、「ＴＦＴ液晶用ガラス基板」は「表示装置用基板」に、それぞれ、相当する。
　してみると、両者は、
「金属性材質からなる金属部を含む基板積載用カセットに基板を積載する段階と、
　前記基板を前記金属部に電気的に接続させて静電気電流を放出する段階とを含み、
　前記基板積載用カセットは、
　基板を積載するために前記基板の一部を支持するスロットを含む、表示装置用基板の静電気放出方法。」
の点で一致し、次の点で相違する。
〔相違点１〕本件発明１１は、前記カセットの金属部を接地させる段階を含むのに対して、刊行物１記載の発明は、この点につき不明である点。
〔相違点２〕本件発明１１は、前記基板積載用カセットは、前記基板を互いに平行に支持し、かつ前記基板が歪まないよう基板を支持する、導電性材質のサポートバーを含み、前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去するのに対して、刊行物１記載の発明は、前記基板積載用カセットは、前記スロットが互いに向い合うように形成されている基板支承用側板（２）対とを含み、前記基板支承用側板（２）は、スロットによって支持される基板の端部と接触点を有し、かつ前記接触点部分において基板を支持し、前記接触点部分は、前記基板支承用側板（２）の骨格材としての金属体（Ｍ）よりも高い表面抵抗率を有する材質で形成され、かつ前記基板の端部から静電気を除去する点。
　上記〔相違点１〕〔相違点２〕について検討する。
〔相違点１〕について
　刊行物１記載の発明は、静電気電流を放出する段階を含むのであるから、金属部を接地させる段階を含むことは、技術常識である。そうすると、刊行物１記載の発明は、「前記カセットの金属部を接地させる段階を含む」ものと認められる。
〔相違点２〕について
　刊行物２には、上記記載事項サ．シ．によると、複数の凹凸部を有する柱状基板保持部１−ｂと、前記柱状基板保持部１−ｂの上端を支持する円盤状板部１−ａと、前記柱状基板保持部１−ｂの下端を支持する円盤状板部１−ａとを含む基板保持具１において、「基板２（ウエハ）の挿入側と正反対側に柱状基板保持部１−ｂを追加して設け、この柱状基板保持部１−ｂの凸部を基板２の挿入側の空間に向かって突出して延長し、かつ前記基板２を基板２の挿入側の位置で支持することにより、安定性のよい基板保持を行う」技術が、刊行物３には、上記記載事項タ．チ．によると、オフセット印刷用の刷版や，活版印刷用の樹脂刷版などのシート状物品の保管装置において、「少なくともシート状物品の端部及び中央部を支持する」技術が、刊行物４には、上記記載事項ナ．によると、「スリット１を通じて積載された基板が前記スリット１を通じて再び抜け出ることを防止するよう前記スリット１の基板積載位置より高い位置に位置する複数の突起体６ａを有しているストッパ６を設けたカセットＡ」の技術が、それぞれ開示されている。しかしながら、刊行物２〜４には、上記〔相違点２〕に係る本件発明１１の構成の内、「前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去する」点について、開示も示唆もされていない。
　そうすると、刊行物１記載の発明において、刊行物２〜４記載の上記技術を適用してみても、上記〔相違点２〕に係る本件発明１１の構成の内、「前記基板積載用カセットは、前記基板を互いに平行に支持し、かつ前記基板が歪まないよう基板を支持する、導電性材質のサポートバーを含み、」の点については、当業者が格別困難なく想到し得るとしても、「前記サポートバーは、前記スロットによって支持されない基板の中央部と接触点を有し、かつ前記接触点部分において基板を支持し、前記接触点部分は、金属で形成されている前記サポートバーの主体部分より高い表面抵抗率を有する材質から形成され、かつ前記基板の中央部から静電気を除去する」点については、当業者が格別困難なく想到し得るものとは認められない。
　そして、本件発明１１は、上記〔相違点２〕に係る本件発明１１の構成により、「基板及び基板上の素子の静電破壊の防止を図りながら、基板中央部から電荷を効率的に放出するとともに、基板の歪みの防止を図る」（段落【０００１】【００１６】【００３５】参照）という刊行物１記載の発明，刊行物２〜４記載の技術から当業者が予測し得ない顕著な効果を奏するものと認められる。
　
＜本件発明１２について＞
　本件発明１２は、本件発明１１を更に限定したものであるから、上記本件発明１１についての判断と同様の理由により、刊行物１記載の発明，刊行物２〜４記載の技術から当業者が格別困難なく想到し得るものではない。
　
　したがって、本件発明１〜１２は、特許出願の際独立して特許を受けることができるものである。
　
３．むすび
　以上のとおりであるから、本件審判の請求は、特許法第１２６条第１項第１号，第３号に掲げる事項を目的とし、かつ、同条第３項ないし第５項の規定に適合する。
　よって、結論のとおり審決する。